(57)【要約】【課題】ゴルフの快適なプレイ環境を実現する建造物を提供する。【解決手段】ゴルフコースのティーグラウンド又はその近傍に設置されるティーショットハウス１である。ティーショットハウス１は、打席室１０と、打席室１０と連通路を通じて出入り可能な待機室２０とを有する。打席室１０は、例えばティーグラウンドと天井を含む複数の壁面部とにより閉空間が形成され、複数の壁面部のうち、ティーグラウンドからコースを臨む方向に所定距離だけ離れた第１壁面部１０１がシャッタ１０３により開閉自在に構成される。打席室１０の第１壁面部１０１以外の壁面部の一部又は全部が、打球が当たったときの反射を妨げる衝撃吸収部材で構成される。第１壁面部１０１は、プレイヤがティーグラウンドから打球しようとするときには開放される。【選択図】図２
2014158616.tif 000002
【特許請求の範囲】
【請求項１】
ゴルフコースのティーショット可能な部位に設置される建造物であって、
前記部位と天井を含む複数の壁面部とにより閉空間が形成され、前記複数の壁面部のうち、前記部位からコースを臨む方向に所定距離だけ離れた第１壁面部が開閉自在に構成されている打席室と、
この打席室と連通路を通じて出入り可能な待機室とを有し、
前記打席室の前記第１壁面部以外の壁面部の一部又は全部が、打球が当たったときの反射を妨げる衝撃吸収部材で構成されており、
前記第１壁面部は、プレイヤが前記部位から打球しようとするときには開放されていることを特徴とする、
ティーショット可能な建造物。
【請求項２】
前記第１壁面部がエアカーテンにより外気と仕切られており、
前記エアカーテンは、プレイヤが前記部位から打球しようとするときに消滅し、又はエア出力が前記プレイヤの打球前よりも低減することを特徴とする、
請求項１記載の建造物。
【請求項３】
前記第１壁面部は、前記部位からコース方向に離れるにつれて、その高さおよび幅の少なくとも一方が大きくなることを特徴とする、
請求項１又は２記載の建造物。
【請求項４】
前記第１壁面部を仕切るエアカーテンの吹き出す方向、および／又は、吹き出す量が可変であることを特徴とする、
請求項３記載の建造物。
【請求項５】
前記打席室の閉空間に空気を送ることにより、前記閉空間の気圧を外気圧に対して正圧にする空調装置が設置されていることを特徴とする、
請求項１ないし４のいずれか一項に記載の建造物。
【請求項６】
風向および風量を検出する天候センサと、この天候センサの検出結果に基づいて前記空調装置、および／又は、前記エアカーテンの吹き出し方向および吹き出す量を制御する制御装置とが設置されていることを特徴とする、
請求項５記載の建造物。
【請求項７】
前記打席室又は前記待機室には、電子画面を有する表示装置と、人体センサと、この人体センサにより検出された前記打席室又は前記待機室内におけるプレイヤの情報を当該建造物の識別情報と共に、他のプレイヤの情報を生成する他の通信装置へ送信するとともに、前記他の通信装置が生成した他のプレイヤの情報を受信する通信装置とが設置されており、
前記表示装置は、前記通信装置で受信した情報に基づいて、他のプレイヤの情報を前記電子画面に表示させることを特徴とする、
請求項１ないし６のいずれか一項に記載の建造物。
【請求項８】
前記部位からコースに向けて打球する際のガイダンス情報を保持するガイダンス情報保持装置が設置されており、
前記表示装置は、前記ガイダンス情報をも前記電子画面に表示可能に構成されていることを特徴とする、
請求項７記載の建造物。
【請求項９】
打席室および待機室の屋根材に網状の導電線が葺設され、該網状の導電線と大地とが導電線を介して電気的に接続されていることを特徴とする、
請求項１ないし８のいずれか一項に記載の建造物。
【請求項１０】
前記打席室と前記待機室との少なくとも一方の基礎部分に移動機構が設けられており、この移動機構を通じて前記基礎部分を移動可能に構成されていることを特徴とする、
請求項１ないし９のいずれか１項記載の建造物。
【請求項１１】
前記移動機構が、タイヤシャフトと、移動後に前記タイヤシャフトに取り外し自在に装着するタイヤとを含むことを特徴とする、
請求項１０記載の建造物。
【請求項１２】
前記移動機構に、外部トレーラへの接続機構をさらに含むことを特徴とする、
請求項１１記載の建造物。
【発明の詳細な説明】
【技術分野】
【０００１】
本発明は、ゴルフ場のティーグラウンド又はティーグラウンドの略近傍に設置され、その中からティーショット可能な建造物に関する。このような建造物を、本明細書では、「ティーショットハウス」と称する。
【背景技術】
【０００２】
ゴルフ場は、自然の中で移動しながらプレイする場である。そのため、ティーグランド又はティーグラウンドの略近傍に、室内練習場のような天井および壁面を有する建造物を設置し、その建造物の限られたスペースの中でティーショットを打つことは、少なくとも本願出願人の知る限り行われていない。特に、天井および壁面で囲まれた建造物の中からティーショットを打つことは、適切でない打球の場合に、勢いのついたゴルフボールが予期しない方向に飛び、室内で反射するおそれがあることから、危険を伴うものと一般的には認識される。
【０００３】
しかし、夏場の猛暑時、冬場の酷寒時、あるいは、突然の雷雨や強風などの悪天候時にゴルフ場でプレイする場合には、プレイヤに過度の負担をかける。例えば、先行するプレイヤのプレイ進行が遅い場合、後続のプレイヤは待機することになるが、そのときの天候や待機する場所によっては、プレイヤが自己の体調を維持することが難しいことがある。また、突然の降雨や落雷時に、クラブハウスまでの距離が長いと、避難が困難になる場合もある。
そのため、悪天候や天候の急変が予想される時期のプレイは敬遠される傾向にある。これは、ゴルフ場にとっては集客の減少になり、経営にも影響を及ぼすことになる。
【０００４】
ゴルフ場における天候の急変時の対策となる先行技術として、例えば、特許文献１に開示された建造物がある。この建造物は、降雨時や落雷時の一時的な避難場所として用いられるものである。
【先行技術文献】
【特許文献】
【０００５】
【特許文献１】特開２００１−４０９０７号公報
【発明の概要】
【発明が解決しようとする課題】
【０００６】
特許文献１に開示された建造物は、降雨時や落雷時の一時的な避難場所として用いられる。そのために、快適性は重要視されていない。また、その建造物の中では、プレイヤは、天候が回復するまで待つことしかできない。
快適なプレイヤ環境は、ゴルフ場でプレイしようとするプレイヤにとっては重要な要素である。
【０００７】
本発明は、ゴルフの快適なプレイ環境を実現するティーショット用の建造物を提供することを課題とする。
【課題を解決するための手段】
【０００８】
本発明の建造物は、ゴルフコースのティーショット可能な部位に設置される建造物であって、前記部位と天井を含む複数の壁面部とにより閉空間が形成され、前記複数の壁面部のうち、前記部位からコースを臨む方向に所定距離だけ離れた第１壁面部が開閉自在に構成されている打席室と、この打席室と連通路を通じて出入り可能な待機室とを有する。前記打席室の前記第１壁面部以外の壁面部の一部又は全部は、打球が当たったときの反射を妨げる衝撃吸収部材で構成される。前記第１壁面部は、プレイヤが前記部位から打球しようとするときには開放されるものである。
前記部位は、例えばティーグラウンド又はティーグラウンドの略近傍である。
【発明の効果】
【０００９】
本発明の建造物によれば、プレイヤは、プレイ時の天候およびその変化を気にせずに、打球に集中することができる。また、壁面部に反射抑制材が形成されているので、安全にティーショットを打つことができる。
建造物は、待機室も有しているので、先行のプレイヤのプレイが進まない場合であっても、後続のプレイヤは、ストレスなく待機することができる。これにより、ゴルフの快適なプレイ環境を実現することができる。
【図面の簡単な説明】
【００１０】
【図１】ティーショットハウスをティーグラウンドに設置した場合の例示図。
【図２】ティーショットハウスの斜視図。
【図３】ティーショットハウスの斜視図。
【図４】（ａ）はティーショットハウスの上面図、（ｂ）はティーショットハウスの側面図。
【図５】制御システムの構成図。
【図６】ティーショットハウスの斜視図。
【図７】空気の循環の説明図。
【図８】第２実施形態のティーショットハウスの構成図。
【図９】第３実施形態のティーショットハウスの上面図。
【図１０】（ａ）は第４実施形態のティーショットハウスの上面図、（ｂ）は打席室が移動したときのティーショットハウスの上面図。
【図１１】（ａ）は第４実施形態のティーショットハウスの側面図、（ｂ）は打席室が移動したときのティーショットハウスの側面図。
【図１２】第５実施形態のティーショットハウスの上面図。
【発明を実施するための形態】
【００１１】
以下、本発明の実施の形態例を図面を参照して説明する。
＜第１実施形態＞
図１は、本発明を適用したティーショットハウス１を、ゴルフコースのティーグラウンド２に設置した場合の例示図である。図２、図３は、ティーショットハウス１の斜視図である。図４（ａ）はティーショットハウス１の上面図であり、図４（ｂ）はティーショットハウス１の側面図である。
【００１２】
［ティーショットハウスの全体構造］
ティーショットハウス１は、打席室１０と待機室２０との二部屋を備え、ティーグラウンド２に設置される。
通常、ゴルフ場では、１コースあたり１８ホールあり、ホール毎にティーグラウンド２が設けられる。ティーショットハウス１は、このティーグラウンド２毎に設置される。ティーグラウンド２には、二個のティーマーカ２ａが設置されるが、ティーショットハウス１は、打席室１０が、二個のティーマーカ２ａが結ぶ線よりもコース側に出ないように設置される。
【００１３】
［打席室］
打席室１０は、ゴルフのプレイヤがティーショットを打つ（打球する）ための空間を提供する。そのために打席室１０は、ティーグラウンド２と天井を含む複数の壁面部とによる閉空間を形成する。打席室１０の高さおよび幅は、少なくとも一方が、ティーグラウンド２からコース方向に離れるにつれて大きくなっている。これにより、プレイヤのコース方向の視野が広くなるので、プレイヤに開放感を与えることができる。
打席室１０の二本の柱１０２の間隔は、二個のティーマーカ２ａの間隔を超える。また、打席室１０の奥行き、すなわち二本の柱１０２を結ぶ線の垂直方向は、ティーマーカ２ａから奥行き方向に２クラブ・レングス以上に設計される。ゴルフをプレイする際には、通常、プレイヤは複数人でパーティを組むことになる。そのため、打席室１０は、１つのパーティが入っても余裕が有るぐらいの広さであることが望ましい。
【００１４】
打席室１０は、ティーグラウンド２からコースを臨む方向に所定距離だけ離れた部位が開口されている第１壁面部１０１が、開閉自在となるように構成される。
開閉自在の構成例として、本実施形態では、第１壁面部１０１に、シャッタ１０３とエアカーテン装置１１とを設けている。
シャッタ１０３は、シャッタケース１０４およびスラット１０５により構成され、ティーショットハウス１を使用しないとき、あるいは１日のプレイが終了したときは、スラット１０５がシャッタケース１０４から下まで引き出される。これにより、打球室１０への外気の侵入によるティーショットハウス１の破損を防ぐとともに、セキュリティを確保する。ティーショットハウス１を使用するときは、スラット１０５をシャッタケース１０４に収納することにより、第１壁面部１０１を開放する。
【００１５】
エアカーテン装置１１は、シャッタ１０３のスラット１０５がシャッタケース１０４に収納されたときに動作可能になる。すなわち、打席室１０内の空気を取り込み、それを吹き出すことで第１壁面部１０１にエアカーテン１１ａを形成し、これにより、シャッタ１０３に代わって、打球室１０を外気と仕切る。エアカーテン１１ａは無色透明であり、プレイヤの視界ならびに通過する打球に影響を与えないので、プレイヤにとっては、その存在を気にすることなく、ティーショットを打つことができる。
【００１６】
エアカーテン１１ａの吹き出す方向は、ティーグラウンド２の風の状態や打席室１０内の気温と外気温との温度差により決められる。そのため、本実施形態では、風向および風量を検出する天候センサ１０６が、打席室１０の外側で、エアカーテン１１ａが生成される位置の近傍、例えばコースに向かって右側の柱１０２に設けている。但し、天候センサ１０６は、左側の柱１０２やシャッタケース１０４に設けてもよい。
【００１７】
エアカーテン装置１１は、この天候センサ１０６の検出結果に応じて、ティーグラウンド２の風が強い場合には、エアカーテン１１ａを真下に吹き出す。風が弱い場合にはエアカーテン１１ａを打席室１０の外側に吹き出す。外気温との差が大きい場合には、エアカーテン１１ａを打席室１０の外側に吹き出す。必要に応じて、吹き出し量も変える。
このように、エアカーテン１１ａの吹き出す方向および吹き出し量を可変とすることで、ティーグラウンド２上の同じ位置に常にエアカーテン１１ａが当たることを防止し、ティーグラウンド２の芝への影響を低減することができる。
【００１８】
打席室１０は、室内を空調する空調装置１２を備えており、内部が快適な温度に保たれる。打席室１０は、第１壁面部１０１の開放時にエアカーテン１１ａにより外気を仕切るため、エアカーテン１１ａが破られないように室内の気圧を外気圧に対して正圧にする。そのために、空調装置１２には、外気を空調して取り入れ可能なものを用いることが好ましい。
【００１９】
打席室１０内には、エアカーテン装置１１および空調装置１２の他に、人体センサ１３、打席室１０から退室するための外部扉１４、待機室２０との間で入退室するための第２壁面部に設けられる内部扉１５、および電子画面を有する表示装置１６が備えられる。内部扉１５は、開いているときに、打席室１０と待機室２０との連通路になる。
プレイヤは、内部扉１５を通って待機室２０から打席室１０に入室し、打球を行う。打球後は、外部扉１４又は第1壁面部１０１を通って打席室１０から外部に退室する。
【００２０】
人体センサ１３は、画像認識センサ、光学センサ、超音波センサ、レーダセンサ等により実現されるもので、人の有無を検出する他に、プレイヤが打球しようとする動作、素振り、打球のための所定位置への移動、球のティーアップ、アドレス等の動作を、所定の基準パターンとの比較により検出することができる。
外部扉１４および内部扉１５は、公知の自動扉で構成される。内部扉１５は、後述の制御システムにより、その開閉動作が制御される。
表示装置１６には、天候や風向き等のプレイに関する情報やホールの説明、他のプレイヤのプレイ状況等の情報が表示される。
【００２１】
このような打席室１０において、第１壁面部１０１を除く天井および壁面部の一部又は全部には、打球が当たったときの反射を防止する衝撃吸収部材が貼付されている。衝撃吸収部材は、所定厚みの海綿体、スポンジその他の弾性部材により構成される。あるいは、ゴルフボールよりも網目のサイズが小さいネットを張り巡らすようにしてもよい。このような衝撃吸収部材を各壁面部に設けることにより、予期せぬ方向に打球が飛んだ場合であっても、打球の跳ね返りを抑制して、プレイヤ及び待機中の他のプレイヤが打球により怪我することを防止することができる。なお、打球室１０に同じパーティの他のプレイヤが待機している場合は、打球しようとするプレイヤと待機中の他のプレイヤとの間にも衝撃吸収材（この場合は、上記のネットでもよい）を介在させることが好ましい。
【００２２】
［待機室］
待機室２０は、打席室１０の前室であり、打席室１０で先行のプレイヤが打球を終えるまで、後続のプレイヤが待機するための空間を提供する。
待機室２０は、打席室１０との間で、第２壁面部を通じてプレイヤが出入りすることができる。待機室２０内も、打席室１０と同様、室内を空調する空調装置２１が設けられており、内部が快適な温度に保たれる。待機室２０内には、また、プレイヤが休憩するための家具、冷蔵庫や自動販売機、ＡＥＤ（Automated External Defibrillator）等の救急用品のほか、これらの備品等の管理システムが備えられている。
【００２３】
待機室２０には、さらに、待機する人の有無を検出する人体センサ２２、外部から待機室２０に入室するための外部扉２３、および電子画面を有する表示装置２４が備えられる。外部扉２３からは、直前のホールにおけるプレイを終了したプレイヤが入室する。先行のプレイヤの打球の終了後に、後続のプレイヤは、内部扉１５を通って打席室１０に入室することができる。内部扉１５は、先行するプレイヤが打席室に存在するときは、開かないように制御されている。
表示装置２４には、天候や風向き等のプレイに関する情報やホールの説明、他のプレイヤのプレイ状況等の情報が表示される。
【００２４】
なお、図示しないが、待機室２０から打席室１０へ空気を送る送風機を備えていてもよい。上述の通り、打席室１０は、室内を外気圧に対して正圧にする必要がある。そのために、送風機により空調された空気を待機室２０から打席室１０に送って、打席室１０内の気圧を保つようにする。このような構成では、打席室１０の空調装置１２が、外気を取り入れ可能なものである必要がなくなる。外気を空調して取り入れる空調装置は高価である。そのために、待機室２０から打席室１０へ空気を送る送風機を用いることで、コストを抑えて打席室１０内の気圧を保つことができる。
【００２５】
［屋根構造］
ティーショットハウス１の屋根は、屋根材に網状の導電線が葺設されて構成される。網状の導電線は、ティーグラウンド２（大地）に導電線により電気的に接続される。このような構成により、ティーショットハウス１は避雷構造を備える。また、避雷針を設けないため、ティーショットハウス１の良好な外観を保つことができる。
【００２６】
［制御システム］
次に、ティーショットハウス１に備えられるエアカーテン装置１１その他の設備の動作を制御する制御システムについて説明する。
図５は、制御システムの構成図である。制御システム３０は、例えば待機室２０に備えられており、クラブハウスに設けられるサーバや他のホールに備えられたティーショットハウスの制御システム３０と通信を行うための通信装置３１、エアカーテン制御装置３２、打席室１０と待機室２０との間の内部扉１５およびシャッタ１０３の開閉動作を制御するための開閉制御装置３３、ガイダンス情報保持装置３４等を備える。
【００２７】
打席室１０の人体センサ１３は、上記の通り、打席室１０内のプレイヤの有無およびプレイヤが打席室１０から打球しようとする動作を検出する。人体センサ１３は、打席室１０内にプレイヤが入室していることを検出すると、検出結果を制御システム３０に通知する（有人通知）。また、人体センサ１３は、プレイヤの打球の動作を検出すると、制御システム３０にその旨を通知（打球動作通知）する。また、人体センサ１３は、打球動作の終了時に制御システム３０にその旨を通知（打球終了通知）する。また、人体センサ１３は、打席室１０にプレイヤがいなくなった場合には、打席室１０が無人であることを、制御システム３０に通知（無人通知）する。
【００２８】
エアカーテン制御装置３２は、エアカーテン装置１１の動作を制御する。エアカーテン制御装置３２は、開閉制御装置３３の制御によりシャッタ１０３のスラット１０５をシャッタケース１０４に収納する動作の開始と同時に、エアカーテン装置１１からの空気の吹き出しを開始する。これにより、エアカーテン１１ａが形成される。エアカーテン制御装置３２は、設定により、打席室１０の人体センサ１３から打球動作通知があると、エアカーテン装置１１からの空気の吹き出しを停止又は吹き出し出力を低下させることができる。エアカーテン装置１１は、稼働時に結構大きな動作音および吹き出し音を発するので、プレイヤによっては、これらの音が気になることも想定される。そのため、プレイヤが打球しようとするとき（人体センサ１３から打球動作通知があったとき）に、エアカーテン装置１１の動作を停止又は出力を低下させることができるようにした。これにより、エアカーテン１１ａが消滅又は効果を低減させることにより、エアカーテン装置１１からの動作音の停止又は低下により、プレイヤは打球に専念することができる。この場合、エアカーテン制御装置３２は、人体センサ１３から打球終了通知があると、エアカーテン装置１１からの空気の吹き出しを再開する。
このようなエアカーテン制御装置３２によるエアカーテン装置１１の制御により、打球時にのみエアカーテン１１ａを消滅又は効果を低減させ、打球への影響を無くすことができる。
【００２９】
開閉制御装置３３は、ゴルフ場の営業開始直後や、プレイが遅れるなどの事象により、プレイヤがティーショットハウス１を長時間利用しない場合は、打席室１０の人体センサ１３と待機室２０の人体センサ２２を長時間検出できないことにより、シャッタ１０３を閉じるように制御し、プレイヤが待機室２０の人体センサ２２から有人通知があると、シャッタ１０３のスラット１０５をシャッタケース１０４に収納して、第１壁面部１０１を開放し、エアカーテン装置１１を動作させる。従って、プレイヤ不在時のティーショットハウス１を、シャッタ１０３を閉じて効率的に温度調節することができるので、省電力化を図ることができる。
開閉制御装置３３は、また、打席室１０の人体センサ１３から打球動作通知があると（つまり、プレイヤが打球しようとすると）、内部扉１５の開動作を制限する。これにより、内部扉１５は、エアカーテン１１ａの消滅又は効果の低減に連動して開動作が不可になる。これは、プレイヤの打球時に、他のプレイヤが待機室２０に入退室することで、打球動作を邪魔しないようにするためである。
開閉制御装置３３は、また、人体センサ１３から打球終了通知があると、内部扉１５の開動作の制限を解除する。これにより、内部扉１５は、開閉動作が自由に行えるようになる。開閉制御装置３３は、さらに、人体センサ１３から無人通知があると、内部扉１５を開動作する。つまり、開閉制御装置３３は、打球が終了して打席室１０からプレイヤがいなくなった場合に、内部扉１５を開動作することで、待機室２０に待機する次のプレイヤを打席室１０内に誘導することができる。
【００３０】
待機室２０の人体センサ２２は、上記の通り、待機室２０内のプレイヤの有無を検出しており、検出結果を開閉制御装置３３に通知する。
開閉制御装置３３は、打席室１０内の人体センサ１３および待機室２０内の人体センサ２２が、いずれもプレイヤがいないことを検出した場合には、内部扉１５を強制的に閉動作させる。打席室１０および待機室２０の双方にプレイヤが存在しないときに内部扉１５を閉動作させることで、打席室１０と待機室２０との間で熱交換が行われることを防止する。ティーショットハウス１を長時間利用しない場合や、１日のプレイが終了した場合は、シャッタ１０３を閉じることで、打席室１０内と外部との間の熱交換が行われることを防止する。
【００３１】
制御システム３０は、また、プレイヤが打球を終了してからの時間、あるいは、複数のプレイヤからなるパーティが打球終了後に打席室１０から退室してからの時間を計測する計測手段（タイマ等）も備えている。打球が終了してからの時間は、打席室１０の人体センサ１３からの打球終了通知に応じて計測を開始する。打席室１０から退室してからの時間は、打席室１０の人体センサ１３からの無人通知に応じて計測を開始する。
計測結果は、通信装置３１により、自己の識別情報と共に、プレイヤの情報として隣合うティーグラウンド２に設置された他のティーショットハウス１の制御システム３０あるいはクラブハウスに送信される。また、通信装置３１は、隣合うティーグラウンド２あるいはクラブハウスに設置された他のティーショットハウス１の制御システム３０から、プレイヤの情報を、送信元である当該ティーショットハウス１の識別情報と共に受信する。
【００３２】
ガイダンス情報保持装置３４は、ティーグラウンドからコースに向けて打球する際のコースの攻め方、見えにくいフェアウェイの映像等のガイダンス情報を保持する。ガイダンス情報保持装置３４には、例えばＤＶＤレコーダや通信機能搭載の映像再生装置を用いることができる。通信機能搭載の映像再生装置の場合には、例えばクラブハウスにこのゴルフ場のすべてのホールのガイダンス情報を記憶するメインサーバを設置しておき、このメインサーバからガイダンス情報を取得する。
【００３３】
打席室１０の表示装置１６および待機室２０の表示装置２４には、それぞれ以下のような情報が表示される。
【００３４】
（１）先行、後続のプレイヤの情報
制御システム３０は、通信装置３１を介して他のホールに設置されたティーショットハウス１の制御システム３０から受信したプレイヤの情報および識別情報から、先行するプレイヤの情報と、後続のプレイヤの情報とを得ることができる。
例えば、直前ホールのティーショットハウス１の制御システム３０から受信したプレイヤの情報により、後続のプレイヤが直前ホールのティーショットハウス１から打球してからの時間がわかる。表示装置１６および表示装置２４には、このようなプレイヤの情報の少なくとも一方が表示される。プレイヤは、表示装置１６および表示装置２４の表示内容により、先行するプレイヤのプレイの進行具合や、自分達が後続のプレイヤからどの程度前にいるか等を知ることができる。
【００３５】
（２）ガイダンス情報
上述したガイダンス情報保持装置３４に保持されているガイダンス情報、あるいは上述した天候センサ１０６により検出された風向、風速等のガイダンス情報が、表示装置１６および表示装置２４に表示される。プレイヤは、これらのガイダンス情報により、当該ホールの概要、攻め方等を打球の前に考えることができる。
（３）コース内の隠れた情報
この他に、フェアウェイ上でティーグラウンド２からは把握しにくい位置、すなわち、隠れた情報を、当該位置付近に設けられた通信機能付きのテレビカメラで撮影し、このテレビカメラによる映像を受信して、表示装置１６，２４に表示してもよい。
これにより、当該位置の状態を把握して打球を行ったり、当該位置付近のプレイヤの有無を知ることで、前方の安全を確認することができる。
表示装置１６，２４は、例えばこれらの映像を、順に繰り返し表示するようにしてもよい。
【００３６】
［装置類の自動制御］
打席室１０の空調装置１２は、人体センサ１３が打席室１０内にプレイヤがいなくなったことを検出し、次のプレイヤが所定時間以内に入室しない場合に、自動的に動作を止める。同様に、待機室２０の空調装置２１は、人体センサ２２が待機室２０内にプレイヤがいなくなったことを検出した場合に、自動的に動作を停止し、或いは空調を弱める。プレイヤがいないときに空調を止める或いは弱めることで、無人の室内への無駄な空調が行われなくなり、省電力となる。
【００３７】
空調の再開は、人体センサ１３、２２がプレイヤを検出したタイミングでもよいが、真夏の酷暑日には室内が高温になることもある。そのために、直前のホールのティーショットハウス１の制御システム３０から受信するプレイヤの情報を用い、適宜のタイミングで動作を開始するようにしてもよい。
【００３８】
すなわち、制御システム３０は、空調を止める或いは弱めた後に、直前のホールのティーショットハウス１の制御システム３０からプレイヤの情報を受信する。プレイヤの情報には、直前のホールのティーグラウンド２で次のプレイヤが打球してからの時間が含まれる。制御システム３０は、この時間により、次のプレイヤがあとどのくらいの時間でティーショットハウス１に入室するかを推定する。そして、推定した時間に応じて空調を再開させる。例えば、制御システム３０は、推定した時間が所定時間以内であれば空調を再開させる。
【００３９】
時間の推定は、直前のホールの規定打数に応じて行うこともできる。制御システム３０は、直前のホールの規定打数に応じて、直前のホールのプレイに必要な基準時間を予め記憶する。通常、ホールの規定打数は「３」〜「５」である。規定打数「３」のホールはプレイが短時間で終了し、規定打数「５」のホールはプレイが長時間必要になる。そのために基準時間は、規定打数「３］の場合には短くなり、「５」の場合は長くなるようにする。制御システム３０は、プレイヤの情報に含まれる時間と、記憶する基準時間との差から、次のプレイヤがあとどのくらいの時間でティーショットハウス１に入室するかを推定することが可能となる。
また時間の推定は、地形のアップダウンや迂回路などにより規定打数で定められない場合もあるので、ホール毎に実際にかかる時間を測定して蓄積し、データ化した時間を用いて推定することもできる。
【００４０】
以上のようなティーショットハウス１により、プレイヤは空調により快適な温度に保たれた環境で打球が行えるようになる。また、ティーショットハウス１は、ホール毎に設置されているので、クラブハウスに戻ることなく、避雷・防風雨のための避難所として使用することもできる。
また、表示装置１６，２４に情報を表示することで、プレイヤに対して、前後のプレイヤの情報を提供することができる。これにより、例えば先行するプレイヤが次のホールにおり、後続のプレイヤがすぐ後ろに迫っていることを知ることができ、自身のプレイを迅速に行うことで、プレイが滞らないようにすることができる。
【００４１】
なお、エアカーテン装置１１の空気の吹き出し口近傍に、水を噴霧する噴霧ノズルを備えてもよい。噴霧ノズルにより、水を霧状に噴霧して空気と噴霧された水とからなるエアカーテン１１ａが形成可能である。このようなエアカーテン１１ａは、外気の熱を噴霧された水が吸収して蒸発するため、外気の熱が打席室１０内に進入することを防止することができる。
【００４２】
エアカーテン装置１１は、柱１０２部分に縦に設けられてもよい。この場合、空気が横吹きされて、横方向のエアカーテン１１ａが生成される。その際、エアカーテン１１ａの吹き出し方向、および／又は、吹き出し量を可変にすることは、上述したように、エアカーテン装置１１を横置きにした場合と同じである。
このような構成では、横方向のエアカーテン１１ａであるために、ティーグラウンド２の芝にエアカーテン１１ａが直接当たることが無くなり、芝へのエアカーテン１１ａの影響を低減することができる。
【００４３】
図６は、柱１０２部分に縦にエアカーテン装置１１を設けたテーショットハウス４の斜視図である。図６では、図中奥にある柱１０２にエアカーテン装置１１を設けている（横流式）。エアカーテン装置１１は、手前の柱１０２に設けてもよく、また、両方の柱１０２に設ける構成であってもよい（横流対向式）。
【００４４】
さらに、図７に示すように、一方の柱１０２にエアカーテン装置１１を設け、他方の柱１０２に空気を吸引する装置１１ｂを設けてもよい。この場合、一方の柱１０２から他方の柱１０２にエアカーテン１１ａが吸い込まれることになり、外気をより強力に遮断することができる。さらに、柱１０２を中空に構成し、二本の柱１０２間に、シャッタケース１０４の他に中空の梁１０７を設ける場合には、吸引した空気を柱１０２および梁１０７を通してエアカーテン装置１１に循環させる構成であってもよい（横流循環式）。循環させることで、打席室１０内の気圧の低下を抑制することができる。
【００４５】
エアカーテン１１ａには、図２〜図５で説明した天井から吹き下ろす方式（吹下式）、
図６で説明した横流式、横流対向式、図７で説明した横流循環式の他にも、上下循環式、横流対向循環式、横流対向多層式等がある。エアカーテン１１ａは、これらのどのような方式で形成されるものであってもよい。
上下循環式は、横流循環式を縦に構成したものであり、天井から吹き下ろされた空気を、床部分に設けた吸引する装置により吸引する。吸引した空気は、エアカーテン装置１１に循環される。
横流対向循環式では、柱１１に設けられたエアカーテン装置１１から吹き出された空気が、同じ柱に設けられた空気を吸引する装置１１ｂにより吸引される。
横流対向多層式は、横流対向式と同じ構成であるが、臭気の流出を抑制するために、主流となるエアカーテンと内部の巻き込み風量文を与える副流となるエアカーテンを吹き出す。
【００４６】
＜第２実施形態＞
図８は、第２実施形態のティーショットハウス５の構造説明図である。
図８のティーショットハウス５は、打席室１０および待機室２０の基礎部分に、ティーショットハウス１を移動するための移動機構５０が設けられる。打席室１０および待機室２０自体は、第１実施形態のティーショットハウス１或いはティーショットハウス４と同じ構成である。
移動機構５０は、二本のタイヤシャフト５１と、移動後に各タイヤシャフト５１に取り外し自在に装着されるタイヤ５２とを備える。二本のタイヤシャフト５１は、その上部にティーショットハウス５を載置するための載置板５３が設けられる。載置板５３には、外部トレーラへの接続機構となる接続穴５４が設けられる。
【００４７】
ティーショットハウス５を移動する場合には、ジャッキ等の昇降機構によりティーショットハウス５を持ち上げ、移動機構５０の載置板５３上に載置する。その後、接続穴５４により外部トレーラに接続して、外部トレーラにより牽引されて移動し、他の場所に設置することも可能である。
ティーショットハウス５を移動可能にすることで、ティーグラウンド２でティーショットハウス５を施工する必要が無く、工場で製造したティーショットハウス５をトレーラで牽引してティーグラウンド２に設置することができる。そのために、施工によりティーグラウンド２が荒れることもない。
また、ティーグラウンド２のみならず、ティーグラウンド２の略近傍の部位にティーショットハウス５を設置することで、当該部位からも、快適な環境でティーショットを打球することができる。また、ティーグラウンド２の芝の養生が容易に行うことができる。
【００４８】
＜第３実施形態＞
図９は、第３実施形態のティーショットハウス６の上面図である。
第１、第２実施形態では、ティーショットハウス１、４、５が、二個のティーマーカ２ａを結ぶ線に垂直な方向に打席室１０、待機室２０の順に並んで構成されている。第３実施形態では、ティーショットハウス６が、二個のティーマーカ２ａを結ぶ線の方向に打席室１０、待機室２０の順に並んで構成されている。つまり、第１、第２実施形態のティーショットハウス１、４、５では、第１壁面部と第２壁面部とが対向する位置にあるのに対し、第３実施形態のティーショットハウス６では、第１壁面部１０３と第２壁面部とが隣り合って位置する。
【００４９】
打席室１０、待機室２０内の装備等については、第１、第２実施形態のティーショットハウス１、４、５と同様であるが、内部扉１５の位置および待機室２０の外部扉２３の位置が異なっている。これらの扉の位置は、打席室１０のプレイヤが打球するときの妨げにならない位置であればよい。
【００５０】
このようなティーショットハウス６は、ティーグラウンド２の奥行きが狭い場合などに有効である。例えば、１つのホールでレギュラーティーやフロントティーのような複数のティーグラウンドが設けられる場合、ホール側にあるティーグラウンドは奥行きが狭くなりがちである。このような場所への設置に、奥行き方向が短い第３実施形態のティーショットハウス６は有効である。第３実施形態のティーショットハウス６にも、第２実施形態のように移動機構４０を設けて移動可能にすることができる。
【００５１】
＜第４実施形態＞
図１０は、第４実施形態のティーショットハウス７の上面図である。図１１は、ティーショットハウス７の側面図である。打席室１０および待機室２０の室内の構成、機能は、第１実施形態の打席室１０および待機室２０と同様であるので説明を省略する。
【００５２】
第４実施形態のティーショットハウス７は、打席室１０の基礎部分に移動機構７０が設けられる。これにより打席室１０が待機室２０の方向に移動して、打球室１０の一部が待機室２０の内部に収容され、あるいは近づくようになっている。図１０（ａ）、図１１（ａ）は、打席室１０が待機室２０からもっとも離れて位置する状態を表す。図１０（ｂ）、図１１（ｂ）は、打席室１０が待機室２０に近づき、あるいはその一部が収容された状態を表す。このようなティーショットハウス７は、通常は室内でよいが、天気のよいときは、打席室１０の外のティーグラウンドから通常どおり打球したい等のプレイヤの要求を満たすことができる。また、打席室１０部分のティーグラウンド２の芝の養生を容易に行うことができる。なお、移動機構７０は、待機室２０の基礎部分に設けられる構成であってもよい。
【００５３】
＜第５実施形態＞
図１２は、第５実施形態のティーショットハウス８の上面図である。第５実施形態のティーショットハウス８は、打席室１０を２つ備える点が他の実施形態のティーショットハウスと構成が異なる。打席室１０および待機室２０の室内の構成、機能は、第１実施形態の打席室１０および待機室２０と同様であるので説明を省略する。
【００５４】
ゴルフコースによっては、インとアウトの２つのティーグラウンドが近接して設けられることがある。この場合、待機室２０を共通にして、１つの待機室２０から２つの打席室１０のいずれかにプレイヤが入室できるようにすることで、待機室２０を打席室１０毎に設ける必要がなくなり、コストを低減できる。
【符号の説明】
【００５５】
１，４，５，６，７，８…ティーショットハウス、２…ティーグラウンド、２ａ…ティーマーカ、３…絶縁体、１０…打席室、１１…エアカーテン装置、１１ａ…エアカーテン、１２，２１…空調装置、１３，２２…人体センサ、１４，２３…外部扉、１５…内部扉、１６，２４…表示装置、２０…待機室、３０…制御システム、３１…通信装置、３２…エアカーテン制御装置、３３…開閉制御装置、３４…ガイダンス情報保持装置、５０，７０…移動機構、５１…タイヤシャフト、５２…タイヤ、５３…載置板、５４…接続穴
【図１】
2014158616.tif 000003
【図２】
2014158616.tif 000004
【図３】
2014158616.tif 000005
【図４】
2014158616.tif 000006
【図５】
2014158616.tif 000007
【図６】
2014158616.tif 000008
【図７】
2014158616.tif 000009
【図８】
2014158616.tif 000010
【図９】
2014158616.tif 000011
【図１０】
2014158616.tif 000012
【図１１】
2014158616.tif 000013
【図１２】
2014158616.tif 000014